(57)【要約】【課題】      簡易な係止具と確実に止められる係合具を設けた釣り用ケ−スを提供することである。【解決手段】  ケ−ス本体１が上方に開口を有する直方体状に構成されて側壁Ａの後壁に蓋体３がヒンジ部１０で開閉自在に閉じられるように連結されている。  ケ−ス本体１の前面に面貼着係止具４が固定され、面貼着係止具４の下側に凹凸係合具５がベルト１１を介して取り付けられている。  蓋体３の前面の縁の裏面に柔軟性を有する止め板６の上端６ａが固定され、止め板６の下側の前面に補強板７が固定されている。  柔軟性を有する止め板６の裏面に面貼着係止具８が固定され、柔軟性を有する止め板６の下端６ｂにベルト１２を介して凹凸係合具９が取り付けられている。【選択図】        図２
2008086222.tif 000002
【特許請求の範囲】
【請求項１】
ケ−ス本体の開口を開閉する蓋体で覆い、蓋体に止め板を設け、止め板の裏面とケ−ス本体の前面に互いに係合可能な面貼着係止具を夫々設けると共に止め板の下端とケ−ス本体の前面に互いに係合可能な凹凸係合具を夫々設けたことを特徴とする釣り用ケ−ス。
【請求項２】
前記止め板は蓋体に対して上方に回動可能に取り付けられていることを特徴とする請求項１記載の釣り用ケ−ス。
【発明の詳細な説明】
【技術分野】
【０００１】
本発明は、ケ−ス本体の開口を開閉する蓋体を係脱が容易な係止具と確実に止められる係止具を備えた釣り用ケ−スに関する。
【背景技術】
【０００２】
従来ケ−ス本体の開口を開閉する蓋体を特許文献１のように、バックルタイプの固定部で確実に止められる係止具を有する釣り用ケ−スが用いられている。
しかし、釣り中に頻繁に蓋体を開閉しなければならない時に確実に止められる固定部からなる係止具では開閉が煩わしい。
他方、特許文献２のように、面ファスナ−からなる簡易な係着具を容積の大きいケ−ス本体と蓋体の間に設けたのでは、移動中に簡易な係着具が外れて蓋体が開いてしまうことがある。
【特許文献１】特開２００１−１７０５１号公報
【特許文献２】実開昭６３−１８１２６７号公報
【発明の開示】
【発明が解決しようとする課題】
【０００３】
解決しようとする問題点は、頻繁に蓋体を開閉しなければならない時に確実に止められる固定部からなる係止具では開閉が煩わしく、簡易な係着具を取り付けた容積の大きいケ−ス本体と蓋体では移動中に寄れて力が掛かると簡易な係着具では外れて蓋体が開いてしまう危険がある。
【０００４】
本発明の目的は前記欠点に鑑み、係脱が簡易な係止具と確実に止められる係合具を設けた釣り用ケ−スを提供することである。
【課題を解決するための手段】
【０００５】
本発明の請求項１は、ケ−ス本体の開口を開閉する蓋体で覆い、蓋体に止め板を設け、止め板の裏面とケ−ス本体の前面に互いに係合可能な面貼着係止具を夫々設けると共に止め板の下端とケ−ス本体の前面に互いに係合可能な凹凸係合具を夫々設けたことを要旨とするものである。
本発明の請求項２は、前記止め板は蓋体に対して上方に回動可能に取り付けられていることを要旨とするものである。
【発明の効果】
【０００６】
本発明により、釣り中に頻繁に蓋体を開閉しなければならない時は止め板を押圧することで簡易な面貼着係止具で蓋体を係止して容易に開閉でき、移動する時には止め板の下端とケ−ス本体の前面に設けた凹凸係合具を係合して確実に蓋体の閉塞状態を維持できる。
【発明を実施するための最良の形態】
【０００７】
ケ−ス本体１が周回する側壁Ａと底部２で上方に開口を有する直方体状に構成されて側壁Ａの後壁に蓋体３がヒンジ部１０で開閉自在に閉じられるように連結されている。
底部２は合成樹脂材で皿状に形成されている。
ケ−ス本体１の前面に簡易な面貼着係止具４が固定され、面貼着係止具４の下側に確実に止められる凹凸係合具５がベルト１１を介して取り付けられている。
蓋体３の前面の縁の裏面に柔軟性を有する止め板６の上端６ａが固定され、止め板６の下側の前面に硬質板７が固定されている。
柔軟性を有する止め板６の裏面に簡易な面貼着係止具８が固定されている。
柔軟性を有する止め板６の下端６ｂにベルト１２を介して確実に止められる凹凸係合具９が取り付けられている。
【実施例１】
【０００８】
以下、図示の一実施例によって本発明を説明すると、図１は釣り用ケ−スの正面図、図２は釣り用ケ−スの要部断面側面図と一部拡大側面図、図３は止め板が上方に回動された釣り用ケ−スの要部断面側面図と一部拡大側面図である。
【０００９】
釣り用ケ−スは、ケ−ス本体１が前面、後面、左側面、右側面を有し、周回する側壁Ａと底部２で上方に開口を有する直方体状に構成されて側壁Ａの後面に蓋体３が可撓性を有し折曲可能な合成樹脂材からなるヒンジ部１０で取り付けられて開閉自在に閉じられるようになっており、蓋体３はヒンジ部１０を折曲してケ−ス本体１の前面側から開口するように回動するようになっている。
底部２は合成樹脂材で皿状に形成されている。
ケ−ス本体１の前面に面貼着係止具４が固定され、面貼着係止具４の下側に凹凸係合具５がベルト１１を介して取り付けられている。
蓋体３の前面側の縁の裏面に柔軟性を有する止め板６の上端６ａが固定され、止め板６の下側の前面に補強板７が固定され、補強板７は止め板６を補強して、止め板６をケ−ス本体１側へ押圧した時に力が伝わりやすくなり、後述する面貼着係止具８の面貼着係止具４への係合（貼着）が良好になる。
【００１０】
柔軟性を有する止め板６の裏面の補強板７の対向位置に面貼着係止具８が固定されている。
柔軟性を有する止め板６の下端６ｂにベルト１２を介して凹凸係合具９が取り付けられている。
ケ−ス本体１の側壁Ａの左右両側面には係止具１３が取り付けられて肩掛けベルト１４が連結される。
面貼着係止具４、８はそれぞれ雌、雄の面ファスナ−で構成され互いに対向する前後方向に係合するようになっている。
凹凸係合具５、９は互いに係合可能な凹部を有する係合具と凸部を有する係合具を有する係合具で、凹凸係合具５、９はバックル等で構成され、互いに上下方向の引っ張りに抗するように係合する。
凹部を凹凸係合具５に形成し、凸部を凹凸係合具９に形成している。
【００１１】
止め板６は柔軟性を有する材料で形成されているので、面貼着係止具４と面貼着係止具８が係止しない状態と凹凸係合具５と凹凸係合具９が係合しない状態で上方に持ち上げると図３のように、蓋体３に対して上方に回動可能に取り付けられている。
止め板６が蓋体３から垂れ下がった状態で面貼着係止具４を設けたケ−ス本体１に押圧されると簡易な面貼着係止具４と面貼着係止具８が係止されてケ−ス本体１に対して蓋体３の閉塞状態が維持される。
釣り中には凹凸係合具９と止め板６を持ち上げて蓋体３を開閉し、補強板７を押圧することで適宜閉塞状態とすることが出来る。
この時、蓋体３の開閉方向と合致するように止め板６を蓋体３に対して上下に回動して面貼着係止具４、８を係合及び係合解除できるため、風などで不用意に蓋体３が開くことが防止され、また蓋体３の開閉を容易に行うことができ、頻繁に開閉するために適した状態となる。
釣り場を移動する時には、しっかり止められる凹凸係合具５と凹凸係合具９を係合することでケ−ス本体１に対して蓋体３を確実に閉錠できる。
この時凹凸係合具５と凹凸係合具９は蓋体３を閉塞した状態で上下方向の引っ張りに抗するように係合するため確実に蓋体３の閉塞状態を維持し、凹凸係合具５、９の係合で止め板６が下方に引かれ、垂れ下がった状態となり、面貼着係止具４と面貼着係止具８の係止状態も同時に維持されるため、釣り用ケ−ス運搬中でも蓋体３の閉塞状態が確実に維持される。
【００１２】
前記のように釣り用ケ−スが構成されると、釣り中に頻繁に蓋体３を開閉しなければならない時は止め板６を押圧することで簡易な面貼着係止具４、８で閉塞し、移動する時には止め板６の下端とケ−ス本体１の前面に設けたしつかり止められる凹凸係合具５、９を係合して蓋体３を確実に閉錠できる。
前記説明の簡易な面貼着係止具はマグネットで構成してもよい。
【産業上の利用可能性】
【００１３】
本件発明は、釣り用ケ−スの全般に利用できる。
【図面の簡単な説明】
【００１４】
【図１】釣り用ケ−スの正面図である。
【図２】釣り用ケ−スの要部断面側面図と一部拡大側面図である。
【図３】止め板が上方に回動された釣り用ケ−スの要部断面側面図と一部拡大側面図である。
【符号の説明】
【００１５】
１  ケ−ス本体
３  蓋体
４、８  面貼着係止具
５、９  凹凸係合具
６  止め板
【図１】
2008086222.tif 000003
【図２】
2008086222.tif 000004
【図３】
2008086222.tif 000005